(57)【要約】  室外機本体１内の少なくとも背面側に設置された熱交換器２０、複数の翼１０を有し熱交換器２０の前面側に設置されたプロペラファン８、及びプロペラファン８の前面側において吹出し口３に臨んで設置されたベルマウス１３を有する送風機室６と、圧縮機１５が設置された機械室７と、送風機室６と機械室７とを仕切る仕切り板５とを備え、仕切り板５は送風機室６側から機械室７側に突出した突出形状に形成されており、仕切り板５の送風機室６側がその突出形状に対応した凹部５ｃを有し、凹部５ｃの凹み量がプロペラファン８の回転中心と同じ高さ位置で最大となるようにした。
2013094082.tif 000002
【特許請求の範囲】
【請求項１】
室外機本体内の少なくとも背面側に設置された熱交換器、複数の翼を有し前記熱交換器の前面側に設置されたプロペラファン、及び該プロペラファンの前面側において吹出し口に臨んで設置されたベルマウスを有する送風機室と、圧縮機が設置された機械室と、前記送風機室と機械室とを仕切る仕切り板とを備え、
前記仕切り板は、前記送機室側から機械室側に突出する凹部が形成され、前記凹部の凹み量は前記仕切り板の上下端部から鉛直方向の中央部に向かって徐々に大きくなっていることを特徴とする室外機。
【請求項２】
前記仕切り板の凹部は、該仕切り板の上下端部から鉛直方向の中央部に向って徐々に前記機械室側への突出量を増し、前記凹部の凹み量を、前記プロペラファンの回転中心と同じ高さ位置において最大としたことを特徴とする請求項１に記載の室外機。
【請求項３】
前記仕切り板の凹部は、該仕切り板の鉛直方向に連続的に変化する曲面であることを特徴とする請求項１または２に記載の室外機。
【請求項４】
前記仕切り板は、水平断面において前記機械室側から前記送風機室側に凸となる曲面を有し、前記プロペラファンの回転中心と同じ高さ位置において前記曲面の曲率を最小としていることを特徴とする請求項１に記載の室外機。
【請求項５】
前記仕切り板は、前記プロペラファンの回転中心と同じ高さ位置の水平断面において、送風流の上流側を前記送風機室側に凸、送風流の下流側を前記機械室側に凸とするほぼＳ字状に形成されていることを特徴とする請求項１に記載の室外機。
【請求項６】
前記仕切り板の凹部は、前記プロペラファンの回転中心を通る水平面に対して上下が対称形状であることを特徴とする請求項１〜５のいずれか一項に記載の室外機。
【請求項７】
前記仕切り板の凹部は、前記プロペラファンの回転中心を通る水平面の上下のいずれか一方の凹みを他方の凹みより大きくしたことを特徴とする請求項１〜５のいずれか一項に記載の室外機。
【請求項８】
前記室外機本体の上下方向に複数のプロペラファンを有し、前記仕切り板に前記複数のプロペラファンに対応してそれぞれ前記凹部を形成し、前記複数のプロペラファンのうち少なくとも１台のプロペラファンの回転中心を通る水平面において、該プロペラファンに対応する前記凹部の凹み量を最大としたことを特徴とする請求項１〜７のいずれか一項に記載の室外機。
【請求項９】
請求項１〜８のいずれか一項の室外機を備えたことを特徴とする冷凍サイクル装置。
【発明の詳細な説明】
【技術分野】
【０００１】
本発明は、室外機及びこの室外機を備えた空気調和機、給湯器等の冷凍サイクル装置に関するものである。
【背景技術】
【０００２】
従来の空気調和機の室外機に、ユニット内の少なくとも背面側に設置された熱交換器、この熱交換器の前面側に設置された複数の翼を有するプロペラファン、及びこのプロペラファンの前面側に設置されたベルマウスを有する風路室と、圧縮機が設置された機械室と、風路室と機械室とを仕切る仕切り板とを備え、仕切り板の風路室側の翼の外周部のプロペラファンの回転方向の長さと対応する領域に、機械室側に突出する凹部を設けたものがある（例えば、特許文献１参照）。
【先行技術文献】
【特許文献】
【０００３】
【特許文献１】特開２０１０−１２７５９０号公報（第４−５頁、図１−４）
【発明の概要】
【発明が解決しようとする課題】
【０００４】
特許文献１に記載された発明は、仕切り板に、機械室側に突出する凹部を設けることにより、仕切り板側からのファンの吸込風量を増加させ、吸込風量の周方向分布の均一化をはかることができるが、仕切り板に設けた凹部は鉛直方向又は回転方向に段差又は急激な曲面が生じるため、空気の流れの急激な変化によって生じる騒音を十分抑制することができなかった。【０００５】
本発明は、上記の課題を解決するためになされたもので、仕切り板側からのプロペラファンの吸込風量を増加させつつ、低騒音、高効率をはかることのできる室外機及びこの室外機を備えた冷凍サイクル装置を提供することを目的としたものである。
【課題を解決するための手段】
【０００６】
本発明に係る室外機は、室外機本体内の少なくとも背面側に設置された熱交換器、複数の翼を有し前記熱交換器の前面側に設置されたプロペラファン、及び該プロペラファンの前面側において吹出し口に臨んで設置されたベルマウスを有する送風機室と、圧縮機が設置された機械室と、前記送風機室と機械室とを仕切る仕切り板とを備え、前記仕切り板は、前記送機室側から機械室側に突出する凹部が形成され、前記凹部の凹み量は前記仕切り板の上下端部から鉛直方向の中央部に向かって徐々に大きくなっている。【０００７】
また、本発明に係る冷凍サイクル装置は、上記の室外機を備えたものである。
【発明の効果】
【０００８】
本発明によれば、仕切り板の上下端部から鉛直方向の中央部に向かって仕切り板の凹み量が徐々に大きくなっているため、プロペラファンと仕切り板とが接近する部分において仕切り板側からプロペラファンの側面に流入する風量を増加させることができる。これにより、吸込風量の周方向分布が均一化されるためプロペラファンの側面からの流入を安定化することができ、したがって、低騒音で高効率の室外機及びこれを備えた冷凍サイクル装置を得ることができる。
【図面の簡単な説明】
【０００９】
【図１】本発明の実施の形態１に係る室外機の外観斜視図である。
【図２】図１の天板を外した状態の平面図である。
【図３】図１のファングリルを外した状態の斜視図である。
【図４】図３の前面パネル及び天板を外した状態の斜視図である。
【図５】図２の熱交換器を外した状態の背面斜視図である。
【図６】図５の内部構造を示す説明図である。
【図７】本実施の形態の作用説明図である。
【図８】本実施の形態の作用説明図である。
【図９】本発明の実施の形態２に係る室外機の要部を示す説明図である。
【図１０】本発明の実施の形態３に係る室外機の要部を示す説明図である。
【図１１】本発明の実施の形態４に係る室外機の仕切り板の模式的説明図である。
【図１２】本発明の実施の形態５に係る室外機の仕切り板の模式的説明図である。
【図１３】本発明の実施の形態６に係る室外機の仕切り板の模式的説明図である。
【図１４】本発明の実施の形態７に係る空気調和装置の構成図である。
【発明を実施するための形態】
【００１０】
［実施の形態１］
本発明の実施の形態１に係る室外機を示す図１〜図４において、室外機本体１は、両側面１ａ，１ｂ、前面１ｃ、背面１ｄ、上面１ｅ及び底面１ｆからなる箱状に形成されており、一方の側面１ａ及び背面１ｄには外部から空気を吸込むための開口部（吸込み口）が設けられている。また、後述の送風機室６の前面を覆う前面パネル２には、空気を吹出す吹出し口３が設けられており、この吹出し口３には内蔵した後述のプロペラファン８が外部の物体と接触するのを防止して安全性を保つために、ファングリル４が装着されている。
【００１１】
室外機本体１の内部は、仕切り板５によって送風機室６と機械室７とに区画されており、送風機室６には吹出し口３に臨んでプロペラボス９の外周に複数（図には３枚の場合が示してある）の翼１０が取付けられたプロペラファン８が設置され、背面側に設けたファンモータ１１により回転軸１２を介して回転駆動される。また、機械室７には圧縮機１５、配管１６、基板箱１７などが設置されている。ここで、図４の仕切り板５は後述する凹部５ｃが設けられてなく、鉛直面状に形成された場合が示してある。
【００１２】
また、前面パネル２の吹出し口３の内周縁には、プロペラファン８の翼１０の回転半径より若干大きい半径のベルマウス１３が、前面パネル２と一体に又は別体として設けられており、このベルマウス１３は、空気の吸込み側と吹出し側とを区切って吹出し口３の近傍の風路を構成する。
【００１３】
２０は室外機本体１の背面１ｄ側から一方の側面１ａ側にかけて設置されたＬ字状の熱交換器で、所定の間隔で平行に積層された複数板の板状フィンと、この板状フィンに直交して貫挿された複数の伝熱管とから構成されている。そして、各伝熱管は、側面１ａ側の端部でそれぞれＵ字状に折り曲げて折り返され、他端はヘッド及び配管を介して圧縮機１５に接続され、冷媒が循環する冷媒回路を構成する。なお室外機に搭載された各種の機器は、機械室７の基板箱１７内の制御基板１８に設けた制御部により制御される。
【００１４】
図５は図２の熱交換器を外した状態の背面斜視図である。また、図６は、図５の内部構造を示す説明図である。次に、図５、図６により、本発明の実施の形態１に係る仕切り板５の形状について説明する。仕切り板５は、送風機室６と機械室７との間を仕切るための板である。本実施の形態の仕切り板５は、前面パネル２側からプロペラファン８の回転軸１２を通る鉛直線と平行に延びる（前面側と背面側とを結ぶ方向に仕切る）平面５ａと、熱交換器２０の端部から平面５ａに向って延びる（両側面方向に仕切る）鉛直面５ｂとを有している。ここで、平面５ａと鉛直面５ｂとは連続して形成しており、送風機室６と機械室７との間は連通していない。
【００１５】
そして、仕切り板５は、ベルマウス１３の内側縁部１３ａを含む平面より上流側の上下方向において、機械室７側に突出し、対応する送風機室６側が凹み形状とされた凹部５ｃが形成されている。このため、例えば上面側から見ると平面５ａと鉛直面５ｂとが交差する部分が面取りされた形となり、面取りされた部分が上下方向に対して凹みを有する凹部５ｃとして形成される。凹部５ｃは、上下端部から中央部に向って徐々に深くかつ幅広になる（突出長が大きくなる）。凹部５ｃは、プロペラファン８の回転軸１２に対応する高さとほぼ同じ位置（プロペラファン８の回転中心を通る水平面と記すことがある）で、凹みの深さが最大となるのが特に好ましい。
なお、凹みの深さが最大の部分を最大凹部５ｄとする。また、凹みの深さを凹み量とも称する。
【００１６】
このように、本実施の形態の仕切り板５は、平面５ａと鉛直面５ｂとが交差する部分を面取りしている形になるため、送風機室６において、プロペラファン８による吸気側の空間を大きくすることができる。また、凹部５ｃとすることで、鉛直面５ｂはその上端面及び下端面には凹部５ｃが設けられておらず、徐々に機械室７側に突出して（凹ませていって）上下方向の中央部付近において最大凹部５ｄになるようにしていることで、圧縮機１５等が設置される機械室７では上面側及び底面側における空間を確保することができる。
【００１７】
次に、上記のように構成した本実施の形態に係る室外機の作用について説明する。
プロペラファン８が回転駆動されると、図２に示すように、外部の空気Ａが室外機本体１の側面１ａ及び背面１ｄに設けた吸込み口から送風機室６に吸い込まれる。これにより、熱交換器２０に空気が流入し、伝熱管内を流れる冷媒との間に熱交換が行われ、熱交換された空気は、プロペラファン８、ベルマウス１３を通り、矢印Ｂに示すように、吹出し口３から外部に吹き出される。
【００１８】
本実施の形態に係る室外機においては、図７に示すように、室外機本体１の背面１ｄ側から送風機室６内に流入した気流Ａの一部は、矢印で示すように、仕切り板５に沿って流れたのち、プロペラファン８に吸い込まれる。このとき、仕切り板５の凹部５ｃ（図５参照）は、上下の端部から機械室７側に向って徐々に突出し、プロペラファン８の回転中心に対応した位置で最大凹部５ｄとなり、プロペラファン８との距離が最も長くなるため、凹部５ｃが設けられていない仕切り板に比べて、流入風量が増加する。
【００１９】
また、仕切り板５の凹部５ｃの範囲は、ベルマウス１３の内周縁１３ａを結ぶ平面より上流側に位置するため、図７に矢印で示すように、仕切り板５に沿って流入した空気は、ベルマウス１３の内面側に流入し易くなる。
【００２０】
さらに、仕切り板５の凹部５ｃは、プロペラファン８の回転中心に対応する位置が最大凹部５ｄとなっているので、図８に示すように、プロペラファン８の回転中心を通る水平面の上下から、プロペラファン８の回転中心に集まる流れが発生する。この結果、プロペラファン８と仕切り板５との接近部の風量を増加することができ、プロペラファン８の周方向において均一な空気の吸込み分布とすることができる。
【００２１】
以上のように、本実施の形態に係る室外機によれば、室外機本体１の幅方向と奥行方向にそれぞれ一定の寸法を有する仕切り板５において、ベルマウス１３の内側縁部１３ａを通る平面より上流側で、室外機本体１の高さ方向において機械室７側に突出する凹部５ｃが設けられている。この凹部５ｃは、その凹み量が、プロペラファン８の回転中心に対応する高さ位置に向って徐々に大きくなり、プロペラファン８の回転中心と同じ高さ位置において最も凹んだ最大凹部５ｄとなるように構成したので、プロペラファン８の側面からの風量分布を周方向において均一化することができる。
【００２２】
このため、プロペラファン８に吸い込まれる空気の流れの変動が低減され、翼１０の周りの流れが一定となって翼１０の面に発生する力の変動を小さくすることができ、これにより、低騒音で高効率の室外機を得ることができる。
【００２３】
［実施の形態２］
図９は本発明の実施の形態２に係る室外機の要部を示す説明図である。なお、実施の形態１に係る室外機と同一又は同じ機能の部分には、これと同じ符号を付してある。
本実施の形態においては、前面パネル２側から熱交換器２０の端部の間に設けた仕切り板５を、送風機室６側に突出する曲面で形成したもので、プロペラファン８の回転中心に対応した高さ位置の曲面の形状を破線で示してある。
【００２４】
すなわち、本実施の形態においては、仕切り板５を送風機室６側に凸となる曲面で形成し、上端部及び下端部から上下方向（鉛直方向）の中央部に向ってその曲率を徐々に小さくして、プロペラファン８の回転中心に対応した位置でその曲率を最小にしたものである。換言すれば、仕切り板５を、実線で示した位置から、プロペラファン８の回転中心に対応した位置における破線で示す位置へ徐々に突出させ（すなわち機械室７側に突出させて）、これにより仕切り板５の送風機室６側を凹ませて、プロペラファン８の回転中心に対応した位置を最大凹部５ｄとしたものである。
【００２５】
本実施の形態においても、実施の形態１の場合とほぼ同様の効果を得ることができるが、さらに、仕切り板５を曲面で形成したので、壁面上を滑らかに沿った空気の流れとすることができる。また、プロペラファン８の回転中心に対応した高さ位置で曲面の曲率を最も小さくする（最大凹部５ｄとする）ことで、送風機室６側の領域が拡大するため、仕切り板５側からプロペラファン８の側面への吸込風量を増加させることができ、これにより、周方向における空気の吸込み分布を均一にすることができる。
【００２６】
以上のように、本実施の形態に係る室外機によれば、仕切り板５を水平断面において送風機室６側に凸となる曲面形状とし、上下の端部から上下方向（鉛直方向）の中央部側に向ってその曲率を徐々に小さくし、プロペラファン８の回転中心に対応した高さ位置においてその曲率を最小とした（最大凹部５ｄ）ので、実施の形態１の場合と同様に、プロペラファン８の側面からの空気の吸込風量の周方向の分布を均一化することができ、これにより、低騒音、高効率の室外機を得ることができる。
【００２７】
［実施の形態３］
図１０は本発明の実施の形態３に係る室外機の要部を示す説明図である。なお、実施の形態１に係る室外機と同一又は同じ機能の部分には、これと同じ符号を付してある。本実施の形態においては、前面パネル２側から熱交換器２０側の端部の間に設けた仕切り板５の上部及び下部を、送風機室６側に突出する曲面で形成し、プロペラファン８の回転中心に対応した高さ位置の水平断面は、破線で示したＳ字形状としている。
【００２８】
すなわち、本実施の形態においては、仕切り板５の送風機側に凸となる曲面の最大曲率を、上下端部から上下方向の中央部に向けて徐々に小さくして送風機６側に凹みを形成するとともに、かつプロペラファン８の回転軸１２に対応する高さ位置においては、その曲面を、熱交換器２０側（上流側）では送風機室６側に凸、前面１ｃ側（下流側）では機械室７側に凸となるほぼＳ字状の水平断面となるようにしたものである。
【００２９】
そして、仕切り板５の上端部及び下端部から上下方向の中央部に向って徐々に、送風機室６側の凹み量を増大させ、プロペラファン８の回転中心と対応する高さ位置では、水平断面の曲率を最小に変化させた（最大凹部５ｄ）ものである。
【００３０】
本実施の形態においても実施の形態１又は２の場合とほぼ同様の効果を得られるが、さらに、仕切り板５の前面側を機械室７側に凸となる形状としたので、仕切り板５に沿った空気の流れをプロペラファン８の側面から垂直に吸い込ませることができ、これにより、プロペラファン８の周方向における空気の吸込み分布を均一にすることができる。
【００３１】
以上のように、本実施の形態に係る室外機によれば、仕切り板５の凹部５ｃの形状を曲面とし、プロペラファン８の回転軸１２に対応する位置で曲率を変化させ、熱交換器２０側（上流側）では送風機室６側に凸、前面１ｃ側（下流側）では機械室７側に凸となるように、水平断面がほぼＳ字状になるように形成したので、実施の形態１及び２の場合と同様に、プロペラファン８の側面からの空気の流れの周方向分布を均一化することができるため、低騒音で高効率の室外機を得ることができる。
【００３２】
［実施の形態４］
図１１は本発明の実施の形態４に係る室外機の仕切り板の模式的説明図である。なお、実施の形態１と同一又は同じ機能の部分には、これと同じ符号を付してある。本実施の形態は、仕切り板５に設けた凹部５ｃに角部ができないように形成したもので、図１１（ａ）は、凹部５ｃを鉛直方向に連続的に変化する円弧状に形成したものである。
【００３３】
また、図１１（ｂ）は、仕切り板５に鉛直方向に連続的に滑らかに変化する円弧状の凹部５ｃを設けて、そのプロペラファン８の回転中心に対応する高さ位置を最大凹部５ｄとし、かつ、最大凹部５ｄの上下を対称形状とし、上下均一な吸込風量になるようにしたものである。なお、最大凹部５ｄの上下を対称形状とすることは、他の実施の形態においても実施することができる。
【００３４】
以上のように、本実施の形態においても、実施の形態１〜３の場合とほぼ同様の効果を得ることができるが、さらに、仕切り板５に角部ができないように鉛直方向に連続的に変化する円弧状の凹部５ｃを設け、又はこの凹部５ｃのプロペラファン８の回転中心と対応した高さ位置に最大凹部５ｄを形成すると共に、この最大凹部５ｄの上下を対称形状としたので、プロペラファン８の側面からの吸込風量の周方向の分布を均一化することができ、これにより、低騒音、高効率の室外機を得ることができる。
【００３５】
［実施の形態５］
図１２は本発明の実施の形態５に係る室外機の仕切り板の模式的説明図である。なお、実施の形態１と同一又は同じ機能の部分には、これと同じ符号を付してある。本実施の形態は、仕切り板５の鉛直方向に円弧状の凹部５ｃを設けて、プロペラファン８の回転中心に対応した高さ位置を最大凹部５ｄとし、この最大凹部５ｄの上側又は下側のいずれか一方の凹みを、他方の凹みより大きく形成したものである（図には、最大凹部５ｄの下側の凹みを、上側の凹みより大きくした場合が示してある）。なお、最大凹部５ｄの上下の凹みに差を設けることは、他の実施の形態においても実施することができる。
【００３６】
本実施の形態においても、実施の形態１〜４の場合とほぼ同様の効果を得ることができるが、さらに、プロペラファン８の回転中心を通る水平面の上側又は下側のいずれか一方の仕切り板５の凹みを他方の凹みより大きくしたので、凹みを大きくした方の風量が増加し、プロペラファン８の周方向において均一な吸込み分布とすることができる。室外機の設置場所の上面側又は底面側のいずれか一方に壁面がある場合、壁面がある側の吸込風量が低下する。本実施の形態によれば、壁面がある側の仕切り板５の凹みを大きくすることにより、プロペラファン８の側面からの吸込風量を大きくすることができる。
【００３７】
本実施の形態においても、実施の形態１〜４の場合と同様にプロペラファン８の側面からの吸込風量の周方向分布を均一化することができるので、低騒音、高効率の室外機を得ることができる。
【００３８】
［実施の形態６］
図１３は本発明の実施の形態６に係る室外機の仕切り板の模式的説明図である。なお、実施の形態１と同一又は同じ機能の部分には、これと同じ符号を付してある。
本実施の形態は、送風機室６の上下方向に、複数のプロペラファン８ａ，８ｂが設けられた室外機の仕切り板５に関するものである。
すなわち、仕切り板５に、各プロペラファン８ａ，８ｂ（図にはプロペラファンが２台の場合）に対応して、鉛直方向に円弧状の凹部５ｃ１，５ｃ２を設け、複数のプロペラファン８ａ，８ｂのうち少なくとも１台のプロペラファン（例えば８ａ）の回転中心を通る水平面において、仕切り板５の凹部５ｃ１の凹み量を最大（最大凹部５ｄ）としたものである。
【００３９】
上記の説明では、仕切り板５の鉛直方向に複数の円弧状の凹部５ｃ１，５ｃ２を設けた場合を示したが、凹部５ｃの形状はこれに限定するものではなく、実施の形態１〜５に係る室外機の仕切り板５の凹部５ｃの形状を適宜用いることができる。
【００４０】
本実施の形態においては、複数のプロペラファン８ａ，８ｂのうち、少なくとも１台のプロペラファン（例えば８ａ）の回転中心を通る水平面において、仕切り板５の凹部５ｃ１の最大凹部５ｄとしたので、実施の形態１〜５の場合と同様に、プロペラファン８ａ，８ｂの側面からの吸込風量の周方向分布を均一化することができ、これにより、低騒音、高効率の室外機を得ることができる。
【００４１】
［実施の形態７］
図１４は本発明の実施の形態７に係る空気調和装置の構成図である。本実施の形態では、上述した送風機等を備える室外機１００を有する冷凍サイクル装置について、空気調和装置について説明する。図１４の空気調和装置は、室外機１００と室内機２００とを備え、これらが冷媒配管で連結され、冷媒回路を構成して冷媒を循環させている。冷媒配管のうち、気体の冷媒（ガス冷媒）が流れる配管をガス配管３００とし、液体の冷媒（液冷媒。気液二相冷媒の場合もある）が流れる配管を液配管４００とする。
【００４２】
室外機１００は、本実施の形態においては、圧縮機１０１、四方弁１０２、室外側熱交換器１０３、室外側送風機１０４、絞り装置（膨張弁）１０５で構成する。
【００４３】
圧縮機１０１は、吸入した冷媒を圧縮して吐出する。ここで、圧縮機１０１は、インバータ装置等を備え、運転周波数を任意に変化させることにより、圧縮機１０１の容量（単位時間あたりの冷媒を送り出す量）を細かく変化させることができるものとする。四方弁１０２は、制御装置（図示せず）からの指示に基づいて冷房運転時と暖房運転時とによって冷媒の流れを切り換える。
【００４４】
また、室外側熱交換器１０３は、冷媒と空気（室外の空気）との熱交換を行う。例えば、暖房運転時においては蒸発器として機能し、液配管４００から流入した低圧の冷媒と空気との熱交換を行い、冷媒を蒸発させ、気化させる。また、冷房運転時においては凝縮器として機能し、四方弁１０２側から流入した圧縮機１０１において圧縮された冷媒と空気との熱交換を行い、冷媒を凝縮して液化させる。室外側熱交換器１０３には、冷媒と空気との熱交換を効率よく行うため、上述の実施の形態１〜３で説明した送風機室６及び機械室７等を有する室外側送風機１０４が設けられている。室外側送風機１０４についても、インバータ装置によりファンモータの運転周波数を任意に変化させてファンの回転速度を細かく変化させるようにしてもよい。絞り装置１０５は、開度を変化させることで、冷媒の圧力等を調整するために設ける。
【００４５】
一方、室内機２００は、負荷側熱交換器２０１及び負荷側送風機２０２で構成される。負荷側熱交換器２０１は冷媒と空気との熱交換を行う。例えば、暖房運転時においては凝縮器として機能し、ガス配管３００から流入した冷媒と空気との熱交換を行い、冷媒を凝縮させて液化（又は気液二相化）させ、液配管４００側に流出させる。一方、冷房運転時においては蒸発器として機能し、例えば絞り装置１０５により低圧状態にされた冷媒と空気との熱交換を行い、冷媒に空気の熱を奪わせて蒸発させて気化させ、ガス配管３００側に流出させる。また、室内機２００には、熱交換を行う空気の流れを調整するための負荷側送風機２０２が設けられている。この負荷側送風機２０２の運転速度は、例えば利用者の設定により決定される。特に限定するものではないが、負荷側送風機２０２にも実施の形態１〜４で説明した送風機を用いるようにすることができる。
【００４６】
以上のように実施の形態７の空気調和装置では、実施の形態１〜６において説明した室外機（送風機）を室外機１００に用いることで、低騒音等を実現し、損傷等を防止することができる。
【産業上の利用可能性】
【００４７】
本実施の形態は、上述の実施の形態１〜６に係る室外機を、空気調和装置だけでなく、例えば、給湯器などを構成する冷凍サイクル装置の室外機として用いることができる。これにより、低騒音、高効率の冷凍サイクル装置を得ることができる。なお、本発明に係る室外機は、送風機が設置される各種の装置や設備などにも広く利用することができる。
【符号の説明】
【００４８】
１  室外機本体、２  前面パネル、３  吹出し口、４  ファングリル、５  仕切り板、５ａ  平面、５ｂ  鉛直面、５ｃ  凹部、５ｄ  最大凹部、６  送風機室、７  機械室、８  プロペラファン、９  プロペラボス、１０  翼、１１  ファンモータ、１２  回転軸、１３  ベルマウス、１３ａ  内側縁部、１５  圧縮機、１６  配管、１７  基板箱、１８  制御基板、２０  熱交換器、１００  室外機、１０１  圧縮機、１０２  四方弁、１０３  室外側熱交換器、１０４  室外側送風機、１０５  絞り装置、２００  室内機、２０１  負荷側熱交換器、２０２  負荷側送風機、３００  ガス配管、４００  液配管。
【図１】
2013094082.tif 000003
【図２】
2013094082.tif 000004
【図３】
2013094082.tif 000005
【図４】
2013094082.tif 000006
【図５】
2013094082.tif 000007
【図６】
2013094082.tif 000008
【図７】
2013094082.tif 000009
【図８】
2013094082.tif 000010
【図９】
2013094082.tif 000011
【図１０】
2013094082.tif 000012
【図１１】
2013094082.tif 000013
【図１２】
2013094082.tif 000014
【図１３】
2013094082.tif 000015
【図１４】
2013094082.tif 000016
【手続補正書】
【提出日】平成26年5月22日(2014.5.22)
【手続補正１】
【補正対象書類名】明細書
【補正対象項目名】０００６
【補正方法】変更
【補正の内容】
【０００６】
本発明に係る室外機は、室外機本体内の少なくとも背面側に設置された熱交換器、複数の翼を有し前記熱交換器の前面側に設置されたプロペラファン、及び該プロペラファンの前面側において吹出し口に臨んで設置されたベルマウスを有する送風機室と、圧縮機が設置された機械室と、前記送風機室と機械室とを仕切る仕切り板とを備え、前記仕切り板は、前記送風機室側から機械室側に突出する凹部が形成され、前記凹部の凹み量は前記仕切り板の上下端部から鉛直方向の中央部に向かって徐々に大きくなっており、かつ、前記仕切り板の前記凹部の水平断面の形状は、前記機械室側から前記送風機室側に凸となる曲面であり、前記プロペラファンの回転中心と同じ高さ位置において前記曲面の曲率が最小である。
【手続補正２】
【補正対象書類名】明細書
【補正対象項目名】００４４
【補正方法】変更
【補正の内容】
【００４４】
また、室外側熱交換器１０３は、冷媒と空気（室外の空気）との熱交換を行う。例えば、暖房運転時においては蒸発器として機能し、液配管４００から流入した低圧の冷媒と空気との熱交換を行い、冷媒を蒸発させ、気化させる。また、冷房運転時においては凝縮器として機能し、四方弁１０２側から流入した圧縮機１０１において圧縮された冷媒と空気との熱交換を行い、冷媒を凝縮して液化させる。室外側熱交換器１０３には、冷媒と空気との熱交換を効率よく行うため、上述の実施の形態１〜６で説明した送風機室６及び機械室７等を有する室外側送風機１０４が設けられている。室外側送風機１０４についても、インバータ装置によりファンモータの運転周波数を任意に変化させてファンの回転速度を細かく変化させるようにしてもよい。絞り装置１０５は、開度を変化させることで、冷媒の圧力等を調整するために設ける。
【手続補正３】
【補正対象書類名】特許請求の範囲
【補正対象項目名】全文
【補正方法】変更
【補正の内容】
【特許請求の範囲】
【請求項１】
室外機本体内の少なくとも背面側に設置された熱交換器、複数の翼を有し前記熱交換器の前面側に設置されたプロペラファン、及び該プロペラファンの前面側において吹出し口に臨んで設置されたベルマウスを有する送風機室と、圧縮機が設置された機械室と、前記送風機室と機械室とを仕切る仕切り板とを備え、
前記仕切り板は、前記送風機室側から機械室側に突出する凹部が形成され、前記凹部の凹み量は前記仕切り板の上下端部から鉛直方向の中央部に向かって徐々に大きくなっており、かつ、
前記仕切り板の前記凹部の水平断面の形状は、前記機械室側から前記送風機室側に凸となる曲面であり、前記プロペラファンの回転中心と同じ高さ位置において前記曲面の曲率が最小である
ことを特徴とする室外機。
【請求項２】
室外機本体内の少なくとも背面側に設置された熱交換器、複数の翼を有し前記熱交換器の前面側に設置されたプロペラファン、及び該プロペラファンの前面側において吹出し口に臨んで設置されたベルマウスを有する送風機室と、圧縮機が設置された機械室と、前記送風機室と機械室とを仕切る仕切り板とを備え、
前記仕切り板は、前記送風機室側から機械室側に突出する凹部が形成され、前記凹部の凹み量は前記仕切り板の上下端部から鉛直方向の中央部に向かって徐々に大きくなっており、かつ、
前記仕切り板の前記凹部の、前記プロペラファンの回転中心と同じ高さ位置の水平断面の形状は、送風流の上流側において前記送風機室側に凸、送風流の下流側において前記機械室側に凸となるＳ字状であり、前記Ｓ字状の部位は、前記ベルマウスの内側縁部を含む平面よりも上流側に配置されている
ことを特徴とする室外機。
【請求項３】
前記仕切り板の凹部は、該仕切り板の上下端部から鉛直方向の中央部に向って徐々に前記機械室側への突出量を増し、前記凹部の凹み量を、前記プロペラファンの回転中心と同じ高さ位置において最大としたことを特徴とする請求項１または請求項２に記載の室外機。
【請求項４】
前記仕切り板の凹部は、該仕切り板の鉛直方向に連続的に変化する曲面であることを特徴とする請求項１〜請求項３のいずれか一項に記載の室外機。
【請求項５】
前記仕切り板の凹部は、前記プロペラファンの回転中心を通る水平面に対して上下が対称形状であることを特徴とする請求項１〜４のいずれか一項に記載の室外機。
【請求項６】
前記仕切り板の凹部は、前記プロペラファンの回転中心を通る水平面の上下のいずれか一方の凹みを他方の凹みより大きくしたことを特徴とする請求項１〜４のいずれか一項に記載の室外機。
【請求項７】
前記室外機本体の上下方向に複数のプロペラファンを有し、前記仕切り板に前記複数のプロペラファンに対応してそれぞれ前記凹部を形成し、前記複数のプロペラファンのうち少なくとも１台のプロペラファンの回転中心を通る水平面において、該プロペラファンに対応する前記凹部の凹み量を最大としたことを特徴とする請求項１〜６のいずれか一項に記載の室外機。
【請求項８】
請求項１〜７のいずれか一項の室外機を備えたことを特徴とする冷凍サイクル装置。
【国際調査報告】
2013094082.tif 000017
2013094082.tif 000018
2013094082.tif 000019
2013094082.tif 000020